(57)【要約】【課題】高い変倍比を有し、かつ、全変倍域に亘って良好な光学性能を維持することが可能な、小型、高性能のズームレンズを提供する。【解決手段】このズームレンズは、物体側から順に、負の屈折力を有する第１レンズ群Ｇ1と、正の屈折力を有する第２レンズ群Ｇ2と、負の屈折力を有する第３レンズ群Ｇ3と、後続レンズ群ＧRと、が配置されて構成される。このズームレンズは、広角端から望遠端への変倍に際して、第１レンズ群Ｇ1が像面ＩＭＧに対して固定されたまま、少なくとも第２レンズ群Ｇ2および第３レンズ群Ｇ3を光軸に沿って移動させて、前記各レンズ群の光軸上の間隔を変える。そして、所定の条件を満足することにより、高い変倍比を有し、かつ、全変倍域に亘って良好な光学性能を維持することが可能な、小型、高性能のズームレンズを実現する。【選択図】図１
2019113700.tif 000002
【特許請求の範囲】
【請求項１】
物体側から順に配置された、負の屈折力を有する第１レンズ群と、正の屈折力を有する第２レンズ群と、負の屈折力を有する第３レンズ群と、後続レンズ群と、から構成され、
前記第１レンズ群を像面に対して固定したまま、少なくとも前記第２レンズ群および前記第３レンズ群を光軸に沿って移動させて、前記各レンズ群の光軸上の間隔を変えることにより広角端から望遠端への変倍を行い、
以下に示す条件式を満足することを特徴とするズームレンズ。
（１）  ３．５≦｜Ｆ１／Ｆｗ｜≦２０．０
（２）  ０．７≦｜Ｆ１／Ｆｔ｜≦２．０
（３）  １．９≦｜Ｆ２／Ｆ３｜≦５．０
ただし、Ｆ１は前記第１レンズ群の焦点距離、Ｆｗは広角端における当該ズームレンズの焦点距離、Ｆｔは望遠端における当該ズームレンズの焦点距離、Ｆ２は前記第２レンズ群の焦点距離、Ｆ３は前記第３レンズ群の焦点距離を示す。
【請求項２】
下記に示す条件式を満足することを特徴とする請求項１に記載のズームレンズ。
（４）  ３．０≦｜β３ｔ／β３ｗ｜≦９．０
ただし、β３ｔは望遠端における前記第３レンズ群の横倍率、β３ｗは広角端における前記第３レンズ群の横倍率を示す。
【請求項３】
前記後続レンズ群は、物体側から順に配置された、正の屈折力を有する第４レンズ群と、正の屈折力を有する第５レンズ群と、を備えることを特徴とする請求項１または２に記載のズームレンズ。
【請求項４】
変倍の際、前記第４レンズ群または前記第５レンズ群のいずれか一方が光軸に沿って移動し、
以下に示す条件式を満足することを特徴とする請求項３に記載のズームレンズ。
（５）  ３．０≦｜βｐｔ／βｐｗ｜≦１０．０
ただし、βｐｔは望遠端における前記後続レンズ群中の可動群の横倍率、βｐｗは広角端における前記後続レンズ群中の可動群の横倍率を示す。
【請求項５】
前記第１レンズ群は１枚のレンズで構成されていることを特徴とする請求項１〜４のいずれか一つに記載のズームレンズ。
【請求項６】
前記後続レンズ群中、前記第５レンズ群の像面側に正の屈折力を有する第６レンズ群を配置したことを特徴とする請求項３または４に記載のズームレンズ。
【請求項７】
請求項１〜６のいずれか一つに記載のズームレンズと、該ズームレンズによって形成された光学像を電気的信号に変換する固体撮像素子と、を備えたことを特徴とする撮像装置。
【発明の詳細な説明】
【技術分野】
【０００１】
本発明は、ズームレンズおよび撮像装置に関し、特にＣＣＤやＣＭＯＳ等の固体撮像素子が搭載された撮像装置に好適なズームレンズ、およびこのズームレンズを備えた撮像装置に関する。
【背景技術】
【０００２】
一眼レフカメラ、デジタルスチルカメラ、ビデオカメラ、監視カメラ等、ＣＣＤやＣＯＭＳ等の固体撮像素子が搭載された撮像措置が急速に普及している。これに伴い、ＣＣＤやＣＭＯＳ等の固体撮像素子が搭載された撮像装置に用いることが可能なズームレンズが提案されている（たとえば、特許文献１を参照。）。
【０００３】
特許文献１に開示されたズームレンズは、物体側より順に、負の屈折力の第１レンズ群と、正の屈折力の第２レンズ群と、負の屈折力の第３レンズ群と、正又は負の屈折力の第４レンズ群と、正の屈折力の第５レンズ群とよりなり、第１レンズ群と第５レンズ群とを結像面に対して固定し、第２レンズ群、第３レンズ群および第４レンズ群を移動することによって広角端から望遠端への変倍を行う光学系である。
【先行技術文献】
【特許文献】
【０００４】
【特許文献１】特許第３２２６２９７号公報
【発明の概要】
【発明が解決しようとする課題】
【０００５】
監視カメラ用のズームレンズとしては、高倍率大口径ズームレンズが望まれてきたが、近年では、固体撮影素子の高画素化が進んだことで、被写体のより細かな特徴を確認できる高解像力（高性能）を有するレンズへの期待が高まっている。これに伴い、光学系の高性能化はもとより、小型化、さらには高変倍かつ低コストのズームレンズが強く求められている。
【０００６】
しかしながら、特許文献１に開示されたズームレンズは、広角ではあるが、変倍比が４倍程度と低く、近年のニーズに十分応えられていない。
【０００７】
本発明は、上述した従来技術による問題点を解消するため、高い変倍比を有し、かつ、全変倍域に亘って良好な光学性能を維持することが可能な、小型、高性能のズームレンズを提供することを目的とする。また、高い変倍比を有する、小型、高性能のズームレンズを備えた撮像装置を提供することを目的とする。
【課題を解決するための手段】
【０００８】
上述した課題を解決し、目的を達成するため、本発明にかかるズームレンズは、物体側から順に配置された、負の屈折力を有する第１レンズ群と、正の屈折力を有する第２レンズ群と、負の屈折力を有する第３レンズ群と、後続レンズ群と、から構成され、前記第１レンズ群を像面に対して固定したまま、少なくとも前記第２レンズ群および前記第３レンズ群を光軸に沿って移動させて、前記各レンズ群の光軸上の間隔を変えることにより広角端から望遠端への変倍を行い、以下に示す条件式を満足することを特徴とする。
（１）  ３．５≦｜Ｆ１／Ｆｗ｜≦２０．０
（２）  ０．７≦｜Ｆ１／Ｆｔ｜≦２．０
（３）  １．９≦｜Ｆ２／Ｆ３｜≦５．０
ただし、Ｆ１は前記第１レンズ群の焦点距離、Ｆｗは広角端における当該ズームレンズの焦点距離、Ｆｔは望遠端における当該ズームレンズの焦点距離、Ｆ２は前記第２レンズ群の焦点距離、Ｆ３は前記第３レンズ群の焦点距離を示す。
【０００９】
本発明によれば、高い変倍比を有し、かつ、全変倍域に亘って良好な光学性能を維持することが可能な、小型、高性能のズームレンズを提供することができる。
【発明の効果】
【００１０】
本発明によれば、高い変倍比を有し、かつ、全変倍域に亘って良好な光学性能を維持することが可能な、小型、高性能のズームレンズを提供することができるという効果を奏する。また、高い変倍比を有する、小型、高性能のズームレンズを備えた撮像装置を提供することができるという効果を奏する。
【図面の簡単な説明】
【００１１】
【図１】実施例１にかかるズームレンズの構成を示す光軸に沿う断面図である。
【図２】実施例１にかかるズームレンズの諸収差図である。
【図３】実施例２にかかるズームレンズの構成を示す光軸に沿う断面図である。
【図４】実施例２にかかるズームレンズの諸収差図である。
【図５】実施例３にかかるズームレンズの構成を示す光軸に沿う断面図である。
【図６】実施例３にかかるズームレンズの諸収差図である。
【図７】実施例４にかかるズームレンズの構成を示す光軸に沿う断面図である。
【図８】実施例４にかかるズームレンズの諸収差図である。
【図９】本発明にかかるズームレンズを備えた撮像装置の一例を示す図である。
【発明を実施するための形態】
【００１２】
以下、本発明にかかるズームレンズおよび撮像装置の好適な実施の形態を詳細に説明する。
【００１３】
本発明にかかるズームレンズは、物体側から順に配置された、負の屈折力を有する第１レンズ群と、正の屈折力を有する第２レンズ群と、負の屈折力を有する第３レンズ群と、後続レンズ群と、から構成される。そして、広角端から望遠端への変倍は、第１レンズ群を像面に対して固定したまま、少なくとも第２レンズ群および第３レンズ群を光軸に沿って移動させて、前記各レンズ群の光軸上の間隔を変えることによって行う。
【００１４】
本発明にかかるズームレンズでは、第２レンズ群および第３レンズ群に変倍作用を担わせている。変倍時に第２レンズ群および第３レンズ群を共に移動させることで変倍時に生じるピント移動や収差変動を良好に補正でき、高解像力を有する変倍光学系を実現することができる。加えて、変倍時に第１レンズ群を固定することで、光学系全長を短く維持することが可能になり、小型の光学系を実現することができる。また、第１レンズ群は外径が大きく重量のあるレンズ群となる傾向があるため、変倍時に固定することで光学系の駆動機構の簡易化が可能になる。このようにすることにより、全変倍域に亘って収差補正が容易になり、良好な光学性能を備えた小型のズームレンズを実現することができる。
【００１５】
さらに、本発明にかかるズームレンズでは、固体撮影素子の高画素化に鑑み、被写体のより細かな特徴を確認できる高解像力を有するレンズを実現するため、以下に示すような各種条件を設定している。
【００１６】
まず、本発明にかかるズームレンズは、第１レンズ群の焦点距離をＦ１、広角端における当該ズームレンズの焦点距離をＦｗとするとき、次の条件式を満足することが好ましい。
（１）  ３．５≦｜Ｆ１／Ｆｗ｜≦２０．０
【００１７】
条件式（１）は、第１レンズ群の焦点距離と広角端における当該ズームレンズの焦点距離との比を規定した式である。条件式（１）を満足することで、広角端において高変倍比を実現したうえで、良好な光学性能を維持することができる。
【００１８】
条件式（１）においてその下限を下回ると、第１レンズ群の屈折力が強くなりすぎて、像面湾曲、非点収差の補正が困難になり、良好な光学性能を維持することができない。一方、条件式（１）においてその上限を上回ると、第１レンズ群の屈折力が弱くなりすぎて、高変倍比を実現するためには、変倍時の第２レンズ群と第３レンズ群の移動量が増加して光学系全長が延びるため、光学系の小型化が困難になる。また、変倍をつかさどるレンズ群の移動量が増えると、変倍時に生じるピント移動や収差変動が大きくなり、光学性能が劣化する。
【００１９】
なお、上記条件式（１）の下限値は、好ましくは５．０以上、さらに好ましくは６．０以上、さらに好ましくは７．０以上、さらに好ましくは８．０以上、さらに好ましくは８．５以上、さらに好ましくは８．９以上となるように設定するとよい。また、上記条件式（１）の上限値は、好ましくは１９．０以下、さらに好ましくは１８．０以下、さらに好ましくは１７．０以下、さらに好ましくは１６．０以下、さらに好ましくは１５．５以下、さらに好ましくは１５．０以下となるように設定するとよい。
【００２０】
次に、望遠端における当該ズームレンズの焦点距離をＦｔ、第２レンズ群の焦点距離をＦ２、とするとき、次の条件式を満足することが好ましい。
（２）  ０．７≦｜Ｆ１／Ｆｔ｜≦２．０
【００２１】
条件式（２）は、第１レンズ群の焦点距離と望遠端における当該ズームレンズの焦点距離との比を規定した式である。条件式（２）を満足することで、望遠端において高変倍比を実現したうえで、良好な光学性能を維持することができる。
【００２２】
条件式（２）においてその下限を下回ると、第１レンズ群の屈折力が強くなりすぎて、像面湾曲、非点収差の補正が困難になり、良好な光学性能を維持することができない。一方、条件式（２）においてその上限を上回ると、第１レンズ群の屈折力が弱くなりすぎて、高変倍比を実現するためには、変倍時の第２レンズ群と第３レンズ群の移動量が増加して光学系全長が延びるため、光学系の小型化が困難になる。また、変倍をつかさどるレンズ群の移動量が増えると、変倍時に生じるピント移動や収差変動が大きくなり、光学性能が劣化する。
【００２３】
なお、上記条件式（２）の下限値は、好ましくは０．７４以上、さらに好ましくは０．７８以上となるように設定するとよい。また、上記条件式（２）の上限値は、好ましくは１．８以下、さらに好ましくは１．４以下となるように設定するとよい。
【００２４】
また、望遠端における当該ズームレンズの焦点距離をＦｔ、第３レンズ群の焦点距離をＦ３とするとき、次の条件式を満足することが好ましい。
（３）  １．９≦｜Ｆ２／Ｆ３｜≦５．０
【００２５】
条件式（３）は、第２レンズ群の焦点距離と第３レンズ群の焦点距離との比を規定した式である。条件式（３）を満足することで、変倍時の第２レンズ群と第３レンズ群の移動量を小さくしても高変倍比を実現することができる。この結果、変倍時に生じるピント移動や収差変動を抑制して良好な光学性能を維持できるとともに、光学系全長を短く維持して光学系の小型化を達成することが可能になる。
【００２６】
条件式（３）においてその下限を下回ると、第３レンズ群に比べて第２レンズ群の屈折力が強くなりすぎて、全変倍域において球面収差、軸上色収差の補正が困難になり、良好な光学性能を維持することができない。一方、条件式（３）においてその上限を上回ると、第２レンズ群に比べて第３レンズ群の屈折力が強くなりすぎて、全変倍域において像面湾曲、非点収差の補正が困難になり、良好な光学性能を維持することができない。
【００２７】
なお、上記条件式（３）の下限値は、好ましくは２．０以上、さらに好ましくは２．５以上となるように設定するとよい。また、上記条件式（３）の上限値は、好ましくは４．５以下、さらに好ましくは４．０以下、さらに好ましくは３．６以下となるように設定するとよい。
【００２８】
各条件式をそれぞれ満たすことで、上述した効果を奏することができる。そして、条件式（１）〜（３）を満足することで、高い変倍比を有し、かつ、全変倍域に亘って良好な光学性能を維持することが可能な、小型、高性能のズームレンズを実現することができる。
【００２９】
さらに、本発明にかかるズームレンズでは、望遠端における第３レンズ群の横倍率をβ３ｔ、広角端における第３レンズ群の横倍率をβ３ｗとするとき、次の条件式を満足することが好ましい。
（４）  ３．０≦｜β３ｔ／β３ｗ｜≦９．０
【００３０】
条件式（４）は、第３レンズ群の広角端と望遠端とにおける横倍率の比を規定した式であり、第３レンズ群の変倍の割合を示すものである。条件式（４）を満足することで、変倍時の第２レンズ群と第３レンズ群の移動量を少なくしても高変倍比を実現することができる。この結果、変倍時に生じるピント移動や収差変動を抑制して良好な光学性能を維持できるとともに、光学系全長を短く維持して光学系の小型化を達成することが可能になる。
【００３１】
条件式（４）においてその下限を下回ると、第３レンズ群の変倍の割合が小さくなるため、変倍をつかさどる他のレンズ群の変倍の割合を大きくしなければならず、変倍をつかさどる他のレンズ群の移動量が増加してしまう。この結果、光学系の小型化が困難になる。一方、条件式（４）においてその上限を上回ると、第３レンズ群の変倍の割合が大きくなり、全変倍域において像面湾曲、非点収差の補正が困難になるため、良好な光学性能を維持することができない。
【００３２】
なお、上記条件式（４）の下限値は、好ましくは３．２以上、さらに好ましくは３．４以上となるように設定するとよい。また、上記条件式（４）の上限値は、好ましくは８．０以下、さらに好ましくは７．０以下、さらに好ましくは６．５以下、さらに好ましくは６．０以下、さらに好ましくは５．５以下、さらに好ましくは５．０以下となるように設定するとよい。
【００３３】
さらに、本発明にかかるズームレンズでは、前記後続レンズ群を、物体側から順に配置された、正の屈折力を有する第４レンズ群と、正の屈折力を有する第５レンズ群と、を備えて構成することが好ましい。
【００３４】
さらに、変倍の際、第４レンズ群または第５レンズ群のいずれか一方を光軸に沿って移動させることが好ましい。このとき、望遠端における後続レンズ群中の可動群の横倍率をβｐｔ、広角端における後続レンズ群中の可動群の横倍率をβｐｗとするとき、次の条件式を満足することが好ましい。
（５）  ３．０≦｜βｐｔ／βｐｗ｜≦１０．０
【００３５】
条件式（５）は、後続レンズ群中の可動群の広角端と望遠端とにおける横倍率の比を規定した式で、当該可動群の変倍の割合を示したものである。条件式（５）を満足することで、変倍時の可動群の移動量を抑制しながら高変倍比を実現できる。この結果、変倍時に生じるピント移動や収差変動を抑制して良好な光学性能を維持できるとともに、光学系全長を短く維持して光学系の小型化を実現することが可能になる。
【００３６】
条件式（５）においてその下限を下回ると、後続レンズ群中の可動群の変倍の割合が小さくなるため、変倍をつかさどる他のレンズ群の変倍の割合を大きくしなければならず、変倍をつかさどる他のレンズ群の移動量が増加してしまう。この結果、特に、高変倍比を実現しようとしたときに、光学系の小型化が困難になる。一方、条件式（５）においてその上限を上回ると、後続レンズ群中の可動群の変倍の割合が大きくなり、全変倍域において像面湾曲、非点収差の補正が困難になるため、良好な光学性能を維持することができない。
【００３７】
なお、上記条件式（５）の下限値は、好ましくは３．４以上、さらに好ましくは３．９以上となるように設定するとよい。また、上記条件式（５）の上限値は、好ましくは９．０以下、さらに好ましくは８．０以下、さらに好ましくは７．０以下、さらに好ましくは６．７以下、さらに好ましくは６．２以下となるように設定するとよい。
【００３８】
なお、変倍の際、後続レンズ群に含まれるレンズ群のうち、第４レンズ群または第５レンズ群のいずれか一つのレンズ群が可動群であることが好ましい。いずれか一つのレンズ群を可動群とすることで、変倍機構を簡素になり、光学系の小型化が可能となる。また、後続レンズ群が２つのレンズ群から構成される場合は、第４レンズ群、第５レンズ群のどちらかが可動群であってもよい。後続レンズ群が３つ以上のレンズ群で構成され、第５レンズの像側に配置されるレンズ群（第６レンズ群）が変倍時に光軸上に固定されている場合は、第５レンズ群を可動群とし、第４レンズ群は変倍時に光軸上に固定されることが好ましく、第５レンズの像側に配置されるレンズ群（第６レンズ群）が変倍時に可動である場合は、第４レンズ群または第５レンズ群のどちらが可動群であってもよい。
【００３９】
さらに、本発明にかかるズームレンズでは、第１レンズ群を１枚のレンズで構成することが好ましい。第１レンズ群の外径は大きくなる傾向があるため、第１レンズ群を１枚のレンズで構成することで、第１レンズ群の軽量化を図ることができるとともに、第１レンズ群を薄くして光学系全長を短く維持し、光学系の小型化を図ることができる。また、第１レンズ群が１枚のレンズで構成されることで、第１レンズ群を保持する機構を簡易化することができる。第１レンズ群を構成するレンズは、負の屈折力を有していればよく、形状はメニスカス形状であっても、両凹形状であってもよい。しかし、強い負の屈折力を発生させるために、両凹形状であることが好ましい。
【００４０】
さらに、本発明にかかるズームレンズでは、後続レンズ群中、第５レンズ群の像面側に正の屈折力を有する第６レンズ群を配置することが好ましい。このようにすることで、第５レンズ群を経るまでに補正しきれなかった像面湾曲等の諸収差を効果的に補正することができ、全変倍域に亘ってより高解像力を有するズームレンズを実現することが可能になる。
【００４１】
さらに、本発明にかかるズームレンズでは、広角端から望遠端への変倍の際に、第１レンズ群と第２レンズ群の間隔が変倍の中間領域で最大となることが好ましい。ここで変倍の中間領域とは、広角端から望遠端への変倍途中の領域を指し、広角端と望遠端を除くいずれの焦点距離であってもよい。このような変倍時のレンズ群の配置をとることによって、高変倍比を実現することが可能になる。
【００４２】
さらに、本発明にかかるズームレンズでは、絞りは第４レンズ群中に配置されることが好ましい。さらに、絞りは変倍時に第４レンズ群と共に移動する、または、第４レンズ群が変倍時に光軸上に固定される場合は、絞りも固定されることが好ましい。ここで、絞りが第４レンズ群中に配置されるとは、第４レンズ群の物体側、像側、または第４レンズ群に配置されるレンズの間の何れかに絞りが配置されることを指し、光軸方向に沿って第４レンズ群と共に移動又は固定される構成であれば、配置される箇所が特に限定されるものではない。絞りを第４レンズ群中に配置することによって、変倍時の収差変動を抑えることができ、高性能化が可能となる。
【００４３】
さらに、本発明にかかるズームレンズでは、第３レンズ群が広角端から望遠端への変倍時に像側に移動することが好ましい。このような変倍時のレンズ群の配置をとることによって、高変倍比を実現することが可能になる。
【００４４】
以上説明したように、本発明によれば、上記構成を備えることにより、高い変倍比を有し、かつ、全変倍域に亘って良好な光学性能を維持することが可能な、小型、高性能のズームレンズを実現することができる。このズームレンズは、特に、高画素化が進んだ固体撮像素子を搭載した撮像装置に好適な高い光学性能を備えたレンズとなる。
【００４５】
さらに、本発明は、高い変倍比を有する、小型、高性能のズームレンズを備えた撮像装置を提供することを目的とする。この目的を達成するためには、上記構成を備えたズームレンズと、このズームレンズによって形成された光学像を電気的信号に変換する固体撮像素子と、を備えて撮像装置を構成すればよい。このようにすることで、高解像の撮像装置を実現することができる。
【００４６】
以下、本発明にかかるズームレンズの実施例を図面に基づき詳細に説明する。なお、以下の実施例により本発明が限定されるものではない。
【実施例１】
【００４７】
図１は、実施例１にかかるズームレンズの構成を示す光軸に沿う断面図である。このズームレンズは、図示しない物体側から順に、負の屈折力を有する第１レンズ群Ｇ1と、正の屈折力を有する第２レンズ群Ｇ2と、正の屈折力を有する第３レンズ群Ｇ3と、後続レンズ群ＧRと、が配置されて構成される。第３レンズ群Ｇ3と後続レンズ群ＧRとの間には、所定の口径を規定する開口絞りＳＴＰが配置される。後続レンズ群ＧRと像面ＩＭＧとの間には、カバーガラスＣＧが配置される。カバーガラスＣＧは、必要に応じて配置されるものである。
【００４８】
また、後続レンズ群ＧRは、物体側から順に配置された、正の屈折力を有する第４レンズ群Ｇ4と、正の屈折力を有する第５レンズ群Ｇ5と、正の屈折力を有する第６レンズ群Ｇ6と、が配置されて構成される。
【００４９】
第１レンズ群Ｇ1は、両凹負レンズＬ11のみにより構成される。
【００５０】
第２レンズ群Ｇ2は、物体側から順に、物体側に凸面を向けた負メニスカスレンズＬ21と、両凸正レンズＬ22と、両凸正レンズＬ23と、が配置されて構成される。負メニスカスレンズＬ21と両凸正レンズＬ22とは、接合されている。両凸正レンズＬ23の両面には、非球面が形成されている。
【００５１】
第３レンズ群Ｇ3は、物体側から順に、両凹負レンズＬ31と、両凹負レンズＬ32と、両凸正レンズＬ33と、像側に凸面を向けた負メニスカスレンズＬ34と、が配置されて構成される。両凹負レンズＬ31の両面には、非球面が形成されている。両凸正レンズＬ33と負メニスカスレンズＬ34とは、接合されている。
【００５２】
第４レンズ群Ｇ4は、物体側から順に、両凸正レンズＬ41と、像側に凸面を向けた負メニスカスレンズＬ42と、が配置されて構成される。両凸正レンズＬ41と負メニスカスレンズＬ42とは、接合されている。
【００５３】
第５レンズ群Ｇ5は、物体側から順に、両凸正レンズＬ51と、両凸正レンズＬ52と、両凹負レンズＬ53と、両凸正レンズＬ54と、物体側に凸面を向けた負メニスカスレンズＬ55と、両凸正レンズＬ56と、像側に凸面を向けた負メニスカスレンズＬ57と、が配置されて構成される。両凸正レンズＬ51の両面には、非球面が形成されている。両凸正レンズＬ52と両凹負レンズＬ53と両凸正レンズＬ54とは、接合されている。負メニスカスレンズＬ55と両凸正レンズＬ56と負メニスカスレンズＬ57とは、接合されている。
【００５４】
第６レンズ群Ｇ6は、物体側から順に、物体側に凸面を向けた負メニスカスレンズＬ61と、物体側に凸面を向けた正メニスカスレンズＬ62と、が配置されて構成される。
【００５５】
このズームレンズは、広角端から望遠端への変倍に際して、第１レンズ群Ｇ1、第４レンズ群Ｇ4、および第６レンズ群Ｇ6が像面ＩＭＧに対して固定されたまま、第２レンズ群Ｇ2は光軸に沿って像面ＩＭＧ側に凸の軌跡を形成するように移動し、第３レンズ群Ｇ3は光軸に沿って物体側から像面ＩＭＧ側へ単調に移動し、第５レンズ群Ｇ5は光軸に沿って像面ＩＭＧ側から物体側へ単調に移動する。
【００５６】
以下、実施例１にかかるズームレンズに関する各種数値データを示す。
【００５７】
（面データ）
ｒ1＝-258.600
ｄ1＝1.300    ｎｄ1＝1.8042    νｄ1＝46.50
ｒ2＝39.170
ｄ2＝D(2)（可変）
ｒ3＝56.700
ｄ3＝0.900    ｎｄ2＝1.8548    νｄ2＝24.80
ｒ4＝31.260
ｄ4＝5.700    ｎｄ3＝1.4970    νｄ3＝81.61
ｒ5＝-79.000
ｄ5＝0.150
ｒ6＝30.850（非球面）
ｄ6＝5.000    ｎｄ4＝1.6935    νｄ4＝53.20
ｒ7＝-96.512（非球面）
ｄ7＝D(7)（可変）
ｒ8＝-103.233（非球面）
ｄ8＝0.600    ｎｄ5＝1.8514    νｄ5＝40.10
ｒ9＝10.784（非球面）
ｄ9＝3.441
ｒ10＝-10.850
ｄ10＝0.600    ｎｄ6＝1.6385    νｄ6＝55.45
ｒ11＝186.000
ｄ11＝0.176
ｒ12＝76.800
ｄ12＝2.310    ｎｄ7＝1.9229    νｄ7＝20.88
ｒ13＝-16.960
ｄ13＝0.600    ｎｄ8＝1.7292    νｄ8＝54.67
ｒ14＝-88.880
ｄ14＝D(14)（可変）
ｒ15＝∞（開口絞り）
ｄ15＝0.600
ｒ16＝39.720
ｄ16＝4.210    ｎｄ9＝1.4970    νｄ9＝81.61
ｒ17＝-19.300
ｄ17＝0.600    ｎｄ10＝1.8042    νｄ10＝46.50
ｒ18＝-40.040
ｄ18＝D(18)（可変）
ｒ19＝48.511（非球面）
ｄ19＝3.200    ｎｄ11＝1.6935    νｄ11＝53.20
ｒ20＝-68.078（非球面）
ｄ20＝0.150
ｒ21＝15.300
ｄ21＝7.440    ｎｄ12＝1.4970    νｄ12＝81.61
ｒ22＝-15.300
ｄ22＝1.000    ｎｄ13＝1.8061    νｄ13＝40.73
ｒ23＝118.600
ｄ23＝3.480    ｎｄ14＝1.8081    νｄ14＝22.76
ｒ24＝-30.260
ｄ24＝0.150
ｒ25＝26.300
ｄ25＝1.000    ｎｄ15＝2.0010    νｄ15＝29.13
ｒ26＝8.672
ｄ26＝5.290    ｎｄ16＝1.4970    νｄ16＝81.61
ｒ27＝-12.864
ｄ27＝0.600    ｎｄ17＝1.6204    νｄ17＝60.34
ｒ28＝-49.000
ｄ28＝D(28)（可変）
ｒ29＝46.000
ｄ29＝0.600    ｎｄ18＝1.9037    νｄ18＝31.31
ｒ30＝18.300
ｄ30＝2.711
ｒ31＝20.440
ｄ31＝2.250    ｎｄ19＝1.6968    νｄ19＝55.46
ｒ32＝126.500
ｄ32＝4.400
ｒ33＝∞
ｄ33＝1.000    ｎｄ20＝1.5163    νｄ20＝64.14
ｒ34＝∞
ｄ34＝1.000
ｒ35＝∞（像面）
【００５８】
円錐係数（ｋ）および非球面係数（Ａ4，Ａ6，Ａ8，Ａ10，Ａ12，Ａ14）
（第６面）
ｋ＝0，
Ａ4＝-2.8400×10-6，Ａ6＝3.9875×10-8，
Ａ8＝-4.8993×10-10，Ａ10＝8.6640×10-12，
Ａ12＝-6.7380×10-14，Ａ14＝2.2082×10-16
（第７面）
ｋ＝0，
Ａ4＝3.3475×10-7，Ａ6＝1.0920×10-8，
Ａ8＝3.7294×10-10，Ａ10＝-1.5000×10-12，
Ａ12＝-1.2478×10-14，Ａ14＝1.1593×10-16
（第８面）
ｋ＝0，
Ａ4＝1.3969×10-5，Ａ6＝-1.3224×10-7，
Ａ8＝6.1860×10-9，Ａ10＝-1.0476×10-10，
Ａ12＝0，Ａ14＝0
（第９面）
ｋ＝0，
Ａ4＝4.9520×10-6，Ａ6＝-7.5303×10-7，
Ａ8＝5.6418×10-8，Ａ10＝-7.6164×10-10，
Ａ12＝0，Ａ14＝0
（第１９面）
ｋ＝0，
Ａ4＝7.6863×10-6，Ａ6＝-1.0741×10-8，
Ａ8＝2.1915×10-9，Ａ10＝-1.7507×10-11，
Ａ12＝-1.2945×10-14，Ａ14＝0
（第２０面）
ｋ＝0，
Ａ4＝2.0382×10-5，Ａ6＝-8.9746×10-8，
Ａ8＝3.1841×10-9，Ａ10＝-3.1291×10-11，
Ａ12＝2.2543×10-14，Ａ14＝0
【００５９】
（各種データ）
広角端          中間焦点位置          望遠端
焦点距離         4.28（Ｆｗ）       14.00               48.26（Ｆｔ）
Ｆナンバー      1.35                2.40                 3.55
半画角（ω）   56.01               14.82                 4.35
D(2)           11.485              16.016                8.960
D(7)             1.432              14.646               27.532
D(14)          25.575               7.830                 2.000
D(18)          15.437               7.372                  0.700
D(28)           0.701               8.766                15.438
【００６０】
（ズームレンズ群データ）
群      始面        焦点距離
１        １       -42.22（Ｆ１）
２        ３        26.19（Ｆ２）
３        ８        -8.26（Ｆ３）
４      １６        60.41
５      １９        20.39
６      ２９       764.80
【００６１】
（条件式（１）に関する数値）
｜Ｆ１／Ｆｗ｜＝9.86
【００６２】
（条件式（２）に関する数値）
｜Ｆ１／Ｆｔ｜＝0.87
【００６３】
（条件式（３）に関する数値）
｜Ｆ２／Ｆ３｜＝3.16
【００６４】
（条件式（４）に関する数値）
β３ｔ（望遠端における第３レンズ群Ｇ3の横倍率）＝ -0.85
β３ｗ（広角端における第３レンズ群Ｇ3の横倍率）＝ -0.24
｜β３ｔ／β３ｗ｜＝3.49
【００６５】
（条件式（５）に関する数値）
βｐｔ（望遠端における後続レンズ群中の可動群（第５レンズ群Ｇ5）の横倍率）＝-0.86
βｐｗ（広角端における後続レンズ群中の可動群（第５レンズ群Ｇ5）の横倍率）＝-0.14
｜βｐｔ／βｐｗ｜＝6.09
【００６６】
図２は、実施例１にかかるズームレンズの諸収差図である。球面収差図において、縦軸はＦナンバー（図中、ＦＮＯで示す）を表し、実線はｄ線（５８７．５６ｎｍ）、一点鎖線はＣ線（６５６．２８ｎｍ）、破線はＦ線（４８６．１３ｎｍ）に相当する波長の特性を示している。非点収差図において、縦軸は半画角（図中、ωで示す）を表し、ｄ線に相当する波長の特性を示している。なお、非点収差図において、実線はサジタル平面（図中、Ｓで示す）、破線はメリディオナル平面（図中、Ｍで示す）の特性を示している。歪曲収差図において、縦軸は半画角（図中、ωで示す）を表し、ｄ線に相当する波長の特性を示している。
【実施例２】
【００６７】
図３は、実施例２にかかるズームレンズの構成を示す光軸に沿う断面図である。本実施例にかかるズームレンズの光学構成や変倍時における各レンズ群の移動は、実施例１に示したズームレンズと同様である。よって、本実施例では、実施例１と同様な部材には同一の符号を付すとともに、それらについての詳細な説明は省略する。
【００６８】
以下、実施例２にかかるズームレンズに関する各種数値データを示す。
【００６９】
（面データ）
ｒ1＝-128.642
ｄ1＝1.300    ｎｄ1＝1.8042    νｄ1＝46.50
ｒ2＝86.633
ｄ2＝D(2)（可変）
ｒ3＝97.555
ｄ3＝0.900    ｎｄ2＝1.8548    νｄ2＝24.80
ｒ4＝40.754
ｄ4＝5.700    ｎｄ3＝1.4970    νｄ3＝81.61
ｒ5＝-81.000
ｄ5＝0.150
ｒ6＝33.462（非球面）
ｄ6＝5.000    ｎｄ4＝1.6935    νｄ4＝53.20
ｒ7＝-105.004（非球面）
ｄ7＝D(7)（可変）
ｒ8＝-184.258（非球面）
ｄ8＝0.600    ｎｄ5＝1.8514    νｄ5＝40.10
ｒ9＝9.660（非球面）
ｄ9＝3.441
ｒ10＝-12.151
ｄ10＝0.600    ｎｄ6＝1.6385    νｄ6＝55.45
ｒ11＝67.822
ｄ11＝0.176
ｒ12＝40.190
ｄ12＝2.310    ｎｄ7＝1.9229    νｄ7＝20.88
ｒ13＝-21.037
ｄ13＝0.600    ｎｄ8＝1.7292    νｄ8＝54.67
ｒ14＝-106.143
ｄ14＝D(14)（可変）
ｒ15＝∞（開口絞り）
ｄ15＝0.600
ｒ16＝35.038
ｄ16＝4.210    ｎｄ9＝1.4970    νｄ9＝81.61
ｒ17＝-22.407
ｄ17＝0.600    ｎｄ10＝1.8042    νｄ10＝46.50
ｒ18＝-67.185
ｄ18＝D(18)（可変）
ｒ19＝39.835（非球面）
ｄ19＝3.200    ｎｄ11＝1.6935    νｄ11＝53.20
ｒ20＝-80.656（非球面）
ｄ20＝0.150
ｒ21＝15.683
ｄ21＝7.440    ｎｄ12＝1.4970    νｄ12＝81.61
ｒ22＝-15.929
ｄ22＝1.000    ｎｄ13＝1.8061    νｄ13＝40.73
ｒ23＝115.784
ｄ23＝3.480    ｎｄ14＝1.8081    νｄ14＝22.76
ｒ24＝-31.156
ｄ24＝0.150
ｒ25＝24.351
ｄ25＝1.000    ｎｄ15＝2.0010    νｄ15＝29.13
ｒ26＝8.639
ｄ26＝5.290    ｎｄ16＝1.4970    νｄ16＝81.61
ｒ27＝-13.086
ｄ27＝0.600    ｎｄ17＝1.6204    νｄ17＝60.34
ｒ28＝-43.515
ｄ28＝D(28)（可変）
ｒ29＝15.050
ｄ29＝0.600    ｎｄ18＝1.9037    νｄ18＝31.31
ｒ30＝9.741
ｄ30＝2.711
ｒ31＝15.775
ｄ31＝2.250    ｎｄ19＝1.6968    νｄ19＝55.46
ｒ32＝50.681
ｄ32＝4.400
ｒ33＝∞
ｄ33＝1.000    ｎｄ20＝1.5163    νｄ20＝64.14
ｒ34＝∞
ｄ34＝1.000
ｒ35＝∞（像面）
【００７０】
円錐係数（ｋ）および非球面係数（Ａ4，Ａ6，Ａ8，Ａ10，Ａ12，Ａ14）
（第６面）
ｋ＝0，
Ａ4＝-2.7204×10-6，Ａ6＝4.0454×10-8，
Ａ8＝-4.6815×10-10，Ａ10＝8.5225×10-12，
Ａ12＝-6.9515×10-14，Ａ14＝2.2082×10-16
（第７面）
ｋ＝0，
Ａ4＝1.0655×10-6，Ａ6＝1.5711×10-8，
Ａ8＝3.6582×10-10，Ａ10＝-1.8761×10-12，
Ａ12＝-1.3073×10-14，Ａ14＝1.1593×10-16
（第８面）
ｋ＝0，
Ａ4＝-2.3816×10-7，Ａ6＝-2.2000×10-7，
Ａ8＝8.6543×10-9，Ａ10＝-1.1481×10-10，
Ａ12＝0，Ａ14＝0
（第９面）
ｋ＝0，
Ａ4＝-2.4723×10-5，Ａ6＝-1.7377×10-6，
Ａ8＝7.4493×10-8，Ａ10＝-1.1663×10-9，
Ａ12＝0，Ａ14＝0
（第１９面）
ｋ＝0，
Ａ4＝4.9385×10-6，Ａ6＝-1.2067×10-8，
Ａ8＝2.2353×10-9，Ａ10＝-1.8036×10-11，
Ａ12＝-1.2945×10-14，Ａ14＝0
（第２０面）
ｋ＝0，
Ａ4＝2.2832×10-5，Ａ6＝-8.0148×10-8，
Ａ8＝3.1887×10-9，Ａ10＝-3.1279×10-11，
Ａ12＝2.2543×10-14，Ａ14＝0
【００７１】
（各種データ）
広角端          中間焦点位置         望遠端
焦点距離         4.28（Ｆｗ）       14.00             48.27（Ｆｔ）
Ｆナンバー      1.35                2.40               3.55
半画角（ω）   56.77               14.58               4.28
D(2)           12.274              16.396               9.183
D(7)             1.400               15.180             28.408
D(14)          26.225                 8.323               2.308
D(18)          14.205                 6.425               0.700
D(28)           0.700                 8.480              14.205
【００７２】
（ズームレンズ群データ）
群      始面        焦点距離
１        １       -64.20（Ｆ１）
２        ３        30.49（Ｆ２）
３        ８        -8.54（Ｆ３）
４      １６        79.94
５      １９        19.24
６      ２９       579.59
【００７３】
（条件式（１）に関する数値）
｜Ｆ１／Ｆｗ｜＝15.00
【００７４】
（条件式（２）に関する数値）
｜Ｆ１／Ｆｔ｜＝1.33
【００７５】
（条件式（３）に関する数値）
｜Ｆ２／Ｆ３｜＝3.57
【００７６】
（条件式（４）に関する数値）
β３ｔ（望遠端における第３レンズ群Ｇ3の横倍率）＝-0.88
β３ｗ（広角端における第３レンズ群Ｇ3の横倍率）＝-0.24
｜β３ｔ／β３ｗ｜＝3.66
【００７７】
（条件式（５）に関する数値）
βｐｔ（望遠端における後続レンズ群中の可動群（第５レンズ群Ｇ5）の横倍率）＝-0.91
βｐｗ（広角端における後続レンズ群中の可動群（第５レンズ群Ｇ5）の横倍率）＝-0.21
｜βｐｔ／βｐｗ｜＝4.33
【００７８】
図４は、実施例２にかかるズームレンズの諸収差図である。球面収差図において、縦軸はＦナンバー（図中、ＦＮＯで示す）を表し、実線はｄ線（５８７．５６ｎｍ）、一点鎖線はＣ線（６５６．２８ｎｍ）、破線はＦ線（４８６．１３ｎｍ）に相当する波長の特性を示している。非点収差図において、縦軸は半画角（図中、ωで示す）を表し、ｄ線に相当する波長の特性を示している。なお、非点収差図において、実線はサジタル平面（図中、Ｓで示す）、破線はメリディオナル平面（図中、Ｍで示す）の特性を示している。歪曲収差図において、縦軸は半画角（図中、ωで示す）を表し、ｄ線に相当する波長の特性を示している。
【実施例３】
【００７９】
図５は、実施例３にかかるズームレンズの構成を示す光軸に沿う断面図である。本実施例にかかるズームレンズの光学構成や変倍時における各レンズ群の移動は、実施例１に示したズームレンズと同様である。よって、本実施例では、実施例１と同様な部材には同一の符号を付すとともに、それらについての詳細な説明は省略する。
【００８０】
以下、実施例３にかかるズームレンズに関する各種数値データを示す。
【００８１】
（面データ）
ｒ1＝-106.965
ｄ1＝1.300    ｎｄ1＝1.8042    νｄ1＝46.50
ｒ2＝43.788
ｄ2＝D(2)（可変）
ｒ3＝69.161
ｄ3＝0.900    ｎｄ2＝1.8548    νｄ2＝24.80
ｒ4＝35.650
ｄ4＝5.700    ｎｄ3＝1.4970    νｄ3＝81.61
ｒ5＝-64.651
ｄ5＝0.150
ｒ6＝34.803（非球面）
ｄ6＝5.000    ｎｄ4＝1.6935    νｄ4＝53.20
ｒ7＝-69.145（非球面）
ｄ7＝D(7)（可変）
ｒ8＝-75.672（非球面）
ｄ8＝0.600    ｎｄ5＝1.8514    νｄ5＝40.10
ｒ9＝11.109（非球面）
ｄ9＝3.441
ｒ10＝-11.051
ｄ10＝0.600    ｎｄ6＝1.6385    νｄ6＝55.45
ｒ11＝72.120
ｄ11＝0.176
ｒ12＝54.292
ｄ12＝2.310    ｎｄ7＝1.9229    νｄ7＝20.88
ｒ13＝-21.981
ｄ13＝0.600    ｎｄ8＝1.7292    νｄ8＝54.67
ｒ14＝-31.329
ｄ14＝D(14)（可変）
ｒ15＝∞（開口絞り）
ｄ15＝0.600
ｒ16＝38.054
ｄ16＝4.210    ｎｄ9＝1.4970    νｄ9＝81.61
ｒ17＝-30.804
ｄ17＝0.600    ｎｄ10＝1.8042    νｄ10＝46.50
ｒ18＝-134.701
ｄ18＝D(18)（可変）
ｒ19＝36.618（非球面）
ｄ19＝3.200    ｎｄ11＝1.6935    νｄ11＝53.20
ｒ20＝-102.581（非球面）
ｄ20＝0.150
ｒ21＝14.586
ｄ21＝7.440    ｎｄ12＝1.4970    νｄ12＝81.61
ｒ22＝-16.933
ｄ22＝1.000    ｎｄ13＝1.8061    νｄ13＝40.73
ｒ23＝70.311
ｄ23＝3.480    ｎｄ14＝1.8081    νｄ14＝22.76
ｒ24＝-34.965
ｄ24＝0.150
ｒ25＝23.865
ｄ25＝1.000    ｎｄ15＝2.0010    νｄ15＝29.13
ｒ26＝7.955
ｄ26＝5.290    ｎｄ16＝1.4970    νｄ16＝81.61
ｒ27＝-15.619
ｄ27＝0.600    ｎｄ17＝1.6204    νｄ17＝60.34
ｒ28＝-66.177
ｄ28＝D(28)（可変）
ｒ29＝13.302
ｄ29＝0.600    ｎｄ18＝1.9037    νｄ18＝31.31
ｒ30＝10.303
ｄ30＝2.711
ｒ31＝23.890
ｄ31＝2.250    ｎｄ19＝1.6968    νｄ19＝55.46
ｒ32＝78.008
ｄ32＝4.400
ｒ33＝∞
ｄ33＝1.000    ｎｄ20＝1.5163    νｄ20＝64.14
ｒ34＝∞
ｄ34＝1.000
ｒ35＝∞（像面）
【００８２】
円錐係数（ｋ）および非球面係数（Ａ4，Ａ6，Ａ8，Ａ10，Ａ12，Ａ14）
（第６面）
ｋ＝0，
Ａ4＝-2.7204×10-6，Ａ6＝4.0454×10-8，
Ａ8＝-4.6815×10-10，Ａ10＝8.5225×10-12，
Ａ12＝-6.9515×10-14，Ａ14＝2.2082×10-16
（第７面）
ｋ＝0，
Ａ4＝1.0655×10-6，Ａ6＝1.5711×10-8，
Ａ8＝3.6582×10-10，Ａ10＝-1.8761×10-12，
Ａ12＝-1.3073×10-14，Ａ14＝1.1593×10-16
（第８面）
ｋ＝0，
Ａ4＝-2.3816×10-7，Ａ6＝-2.2000×10-7，
Ａ8＝8.6543×10-9，Ａ10＝-1.1481×10-10，
Ａ12＝0，Ａ14＝0
（第９面）
ｋ＝0，
Ａ4＝-2.4723×10-5，Ａ6＝-1.7377×10-6，
Ａ8＝7.4493×10-8，Ａ10＝-1.1663×10-9，
Ａ12＝0，Ａ14＝0
（第１９面）
ｋ＝0，
Ａ4＝4.9385×10-6，Ａ6＝-1.2067×10-8，
Ａ8＝2.2353×10-9，Ａ10＝-1.8036×10-11，
Ａ12＝-1.2945×10-14，Ａ14＝0
（第２０面）
ｋ＝0，
Ａ4＝2.2832×10-5，Ａ6＝-8.0148×10-8，
Ａ8＝3.1887×10-9，Ａ10＝-3.1279×10-11，
Ａ12＝2.2543×10-14，Ａ14＝0
【００８３】
（各種データ）
広角端          中間焦点位置         望遠端
焦点距離         4.28（Ｆｗ）       14.00             48.27（Ｆｔ）
Ｆナンバー      1.35                2.40               3.55
半画角（ω）   57.86               14.36               4.30
D(2)            8.137               9.742               7.131
D(7)             1.400               18.540             29.821
D(14)          29.415                10.670               2.000
D(18)          15.152                  9.306               0.700
D(28)           0.700                  6.546              15.152
【００８４】
（ズームレンズ群データ）
群      始面        焦点距離
１        １       -38.49（Ｆ１）
２        ３        25.95（Ｆ２）
３        ８        -9.98（Ｆ３）
４      １６       108.72
５      １９        20.00
６      ２９       330.16
【００８５】
（条件式（１）に関する数値）
｜Ｆ１／Ｆｗ｜＝8.99
【００８６】
（条件式（２）に関する数値）
｜Ｆ１／Ｆｔ｜＝0.80
【００８７】
（条件式（３）に関する数値）
｜Ｆ２／Ｆ３｜＝2.60
【００８８】
（条件式（４）に関する数値）
β３ｔ（望遠端における第３レンズ群Ｇ3の横倍率）＝-0.94
β３ｗ（広角端における第３レンズ群Ｇ3の横倍率）＝-0.26
｜β３ｔ／β３ｗ｜＝3.59
【００８９】
（条件式（５）に関する数値）
βｐｔ（望遠端における後続レンズ群中の可動群（第５レンズ群Ｇ5）の横倍率）＝-0.96
βｐｗ（広角端における後続レンズ群中の可動群（第５レンズ群Ｇ5）の横倍率）＝-0.24
｜βｐｔ／βｐｗ｜＝4.05
【００９０】
図６は、実施例３にかかるズームレンズの諸収差図である。球面収差図において、縦軸はＦナンバー（図中、ＦＮＯで示す）を表し、実線はｄ線（５８７．５６ｎｍ）、一点鎖線はＣ線（６５６．２８ｎｍ）、破線はＦ線（４８６．１３ｎｍ）に相当する波長の特性を示している。非点収差図において、縦軸は半画角（図中、ωで示す）を表し、ｄ線に相当する波長の特性を示している。なお、非点収差図において、実線はサジタル平面（図中、Ｓで示す）、破線はメリディオナル平面（図中、Ｍで示す）の特性を示している。歪曲収差図において、縦軸は半画角（図中、ωで示す）を表し、ｄ線に相当する波長の特性を示している。
【実施例４】
【００９１】
図７は、実施例４にかかるズームレンズの構成を示す光軸に沿う断面図である。本実施例にかかるズームレンズの光学構成や変倍時における各レンズ群の移動は、第６レンズ群Ｇ6において正メニスカスレンズＬ62に代えて両凸正レンズＬ462を配置したこと以外は実施例１に示したズームレンズと同様である。よって、本実施例では、実施例１と同様な部材には同一の符号を付すとともに、それらについての詳細な説明は省略する。
【００９２】
以下、実施例４にかかるズームレンズに関する各種数値データを示す。
【００９３】
（面データ）
ｒ1＝-87.698
ｄ1＝1.300    ｎｄ1＝1.8042    νｄ1＝46.50
ｒ2＝52.797
ｄ2＝D(2)（可変）
ｒ3＝93.413
ｄ3＝0.900    ｎｄ2＝1.8548    νｄ2＝24.80
ｒ4＝37.838
ｄ4＝5.700    ｎｄ3＝1.4970    νｄ3＝81.61
ｒ5＝-53.869
ｄ5＝0.150
ｒ6＝33.677（非球面）
ｄ6＝5.000    ｎｄ4＝1.6935    νｄ4＝53.20
ｒ7＝-67.360（非球面）
ｄ7＝D(7)（可変）
ｒ8＝-70.691（非球面）
ｄ8＝0.600    ｎｄ5＝1.8514    νｄ5＝40.10
ｒ9＝10.250（非球面）
ｄ9＝3.441
ｒ10＝-11.717
ｄ10＝0.600    ｎｄ6＝1.6385    νｄ6＝55.45
ｒ11＝80.294
ｄ11＝0.176
ｒ12＝43.624
ｄ12＝2.310    ｎｄ7＝1.9229    νｄ7＝20.88
ｒ13＝-24.524
ｄ13＝0.600    ｎｄ8＝1.7292    νｄ8＝54.67
ｒ14＝-46.616
ｄ14＝D(14)（可変）
ｒ15＝∞（開口絞り）
ｄ15＝0.600
ｒ16＝36.940
ｄ16＝4.210    ｎｄ9＝1.4970    νｄ9＝81.61
ｒ17＝-37.184
ｄ17＝0.600    ｎｄ10＝1.8042    νｄ10＝46.50
ｒ18＝-82.098
ｄ18＝D(18)（可変）
ｒ19＝43.988（非球面）
ｄ19＝3.200    ｎｄ11＝1.6935    νｄ11＝53.20
ｒ20＝-92.518（非球面）
ｄ20＝0.150
ｒ21＝14.558
ｄ21＝7.440    ｎｄ12＝1.4970    νｄ12＝81.61
ｒ22＝-17.048
ｄ22＝1.000    ｎｄ13＝1.8061    νｄ13＝40.73
ｒ23＝63.629
ｄ23＝3.480    ｎｄ14＝1.8081    νｄ14＝22.76
ｒ24＝-33.337
ｄ24＝0.150
ｒ25＝26.905
ｄ25＝1.000    ｎｄ15＝2.0010    νｄ15＝29.13
ｒ26＝8.052
ｄ26＝5.290    ｎｄ16＝1.4970    νｄ16＝81.61
ｒ27＝-14.799
ｄ27＝0.600    ｎｄ17＝1.6204    νｄ17＝60.34
ｒ28＝-49.354
ｄ28＝D(28)（可変）
ｒ29＝18.620
ｄ29＝0.600    ｎｄ18＝1.9037    νｄ18＝31.31
ｒ30＝9.463
ｄ30＝2.711
ｒ31＝15.084
ｄ31＝2.250    ｎｄ19＝1.6968    νｄ19＝55.46
ｒ32＝-181.440
ｄ32＝4.400
ｒ33＝∞
ｄ33＝1.000    ｎｄ20＝1.5163    νｄ20＝64.14
ｒ34＝∞
ｄ34＝1.000
ｒ35＝∞（像面）
【００９４】
円錐係数（ｋ）および非球面係数（Ａ4，Ａ6，Ａ8，Ａ10，Ａ12，Ａ14）
（第６面）
ｋ＝0，
Ａ4＝-4.2932×10-6，Ａ6＝4.0241×10-8，
Ａ8＝-4.7280×10-10，Ａ10＝8.4476×10-12，
Ａ12＝-6.7890×10-14，Ａ14＝2.1651×10-16
（第７面）
ｋ＝0，
Ａ4＝4.1939×10-7，Ａ6＝8.9980×10-9，
Ａ8＝4.0304×10-10，Ａ10＝-1.6528×10-12，
Ａ12＝-1.5116×10-14，Ａ14＝1.1739×10-16
（第８面）
ｋ＝0，
Ａ4＝-3.9949×10-6，Ａ6＝1.8192×10-7，
Ａ8＝2.0321×10-9，Ａ10＝-6.3171×10-11，
Ａ12＝0，Ａ14＝0
（第９面）
ｋ＝0，
Ａ4＝-3.8713×10-5，Ａ6＝-1.0134×10-6，
Ａ8＝5.2657×10-8，Ａ10＝-7.4101×10-10，
Ａ12＝0，Ａ14＝0
（第１９面）
ｋ＝0，
Ａ4＝4.7575×10-6，Ａ6＝-4.5557×10-8，
Ａ8＝2.1444×10-9，Ａ10＝-1.7342×10-11，
Ａ12＝-1.2945×10-14，Ａ14＝0
（第２０面）
ｋ＝0，
Ａ4＝2.2402×10-5，Ａ6＝-9.4619×10-8，
Ａ8＝3.0257×10-9，Ａ10＝-2.9738×10-11，
Ａ12＝2.2543×10-14，Ａ14＝0
【００９５】
（各種データ）
広角端          中間焦点位置         望遠端
焦点距離         4.28（Ｆｗ）       14.00             48.27（Ｆｔ）
Ｆナンバー      1.35                2.40               3.55
半画角（ω）   56.82               14.30               4.22
D(2)            7.363              12.921               9.919
D(7)             1.400               16.097             28.540
D(14)          31.698                11.443               2.000
D(18)          12.486                  5.469               1.484
D(28)           0.756                  7.773              11.760
【００９６】
（ズームレンズ群データ）
群      始面        焦点距離
１        １       -40.81（Ｆ１）
２        ３        25.79（Ｆ２）
３        ８        -9.05（Ｆ３）
４      １６        67.06
５      １９        21.29
６      ２９       101.02
【００９７】
（条件式（１）に関する数値）
｜Ｆ１／Ｆｗ｜＝9.54
【００９８】
（条件式（２）に関する数値）
｜Ｆ１／Ｆｔ｜＝0.85
【００９９】
（条件式（３）に関する数値）
｜Ｆ２／Ｆ３｜＝2.85
【０１００】
（条件式（４）に関する数値）
β３ｔ（望遠端における第３レンズ群Ｇ3の横倍率）＝-1.21
β３ｗ（広角端における第３レンズ群Ｇ3の横倍率）＝-0.25
｜β３ｔ／β３ｗ｜＝4.90
【０１０１】
（条件式（５）に関する数値）
βｐｔ（望遠端における後続レンズ群中の可動群（第５レンズ群Ｇ5）の横倍率）＝-0.63
βｐｗ（広角端における後続レンズ群中の可動群（第５レンズ群Ｇ5）の横倍率）＝-0.11
｜βｐｔ／βｐｗ｜＝5.60
【０１０２】
図８は、実施例４にかかるズームレンズの諸収差図である。球面収差図において、縦軸はＦナンバー（図中、ＦＮＯで示す）を表し、実線はｄ線（５８７．５６ｎｍ）、一点鎖線はＣ線（６５６．２８ｎｍ）、破線はＦ線（４８６．１３ｎｍ）に相当する波長の特性を示している。非点収差図において、縦軸は半画角（図中、ωで示す）を表し、ｄ線に相当する波長の特性を示している。なお、非点収差図において、実線はサジタル平面（図中、Ｓで示す）、破線はメリディオナル平面（図中、Ｍで示す）の特性を示している。歪曲収差図において、縦軸は半画角（図中、ωで示す）を表し、ｄ線に相当する波長の特性を示している。
【０１０３】
以下に上記各実施例における条件式の対応表を示す。
【０１０４】
【表１】
2019113700.tif 000003
【０１０５】
なお、上記各実施例中の数値データにおいて、ｒ1，ｒ2，・・・・はレンズ面等の曲率半径、ｄ1，ｄ2，・・・・はレンズ等の肉厚またはそれらの面間隔、ｎｄ1，ｎｄ2，・・・・はレンズ等のｄ線（λ＝５８７．５６ｎｍ）に対する屈折率、νｄ1，νｄ2，・・・・はレンズ等のｄ線（λ＝５８７．５６ｎｍ）に対するアッベ数を示している。そして、長さの単位はすべて「ｍｍ」、角度の単位はすべて「°」である。
【０１０６】
また、上記各非球面形状は、光軸に垂直な方向の高さをｈ、レンズ面頂を原点としたときの高さｈにおける光軸方向の変位量をＸ、近軸曲率半径をＲ、円錐係数をｋ、４次，６次，８次，１０次，１２次，１４次の非球面係数をそれぞれＡ4，Ａ6，Ａ8，Ａ10，Ａ12，Ａ14とし、像面方向を正とするとき、以下に示す式により表される。
【０１０７】
【数１】
2019113700.tif 000004
【０１０８】
上記各実施例に示したように、上記各条件式を満足することにより、高い変倍比を有し、かつ、全変倍域に亘って良好な光学性能を維持することが可能な、小型、高性能のズームレンズを実現することができる。
【０１０９】
＜適用例＞
次に、本発明にかかるズームレンズを撮像装置に適用した例を示す。図９は、本発明にかかるズームレンズを備えた撮像装置の一例を示す図である。図９に示すように、撮像装置１００は、ズームレンズ１０を収容したレンズ鏡筒部１１と、固体撮像素子２０を備えたカメラ本体２１と、により構成される。ズームレンズ１０は、図示しないメカ機構の駆動によって変倍等が実行される。なお、図９では、ズームレンズ１０として実施例１（図１を参照）のものを示したが、実施例２〜４に示したズームレンズであっても同様に撮像装置１００に搭載可能である。
【０１１０】
ズームレンズ１０と固体撮像素子２０とを備えた撮像装置１００において、図１に示した像面ＩＭＧが固体撮像素子２０の撮像面に相当する。固体撮像素子２０としては、たとえば、ＣＣＤ（Ｃｈａｒｇｅ Ｃｏｕｐｌｅｄ Ｄｅｖｉｃｅ）やＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）などの光電変換素子を用いることができる。
【０１１１】
撮像装置１００において、ズームレンズ１０の物体側から入射した光が最終的に固体撮像素子２０の撮像面に結像する。そして、固体撮像素子２０は受像した光を光電変換して電気信号として出力する。この出力信号が図示しない信号処理回路によって演算処理され、物体像に対応したデジタル画像が生成される。デジタル画像は、たとえばＨＤＤ（Ｈａｒｄ Ｄｉｓｋ Ｄｒｉｖｅ）やメモリカード、光ディスク、磁気テープなどの記録媒体に記録することが可能である。
【０１１２】
図９に示したような構成を備えることで、高い変倍比を有する、小型、高性能のズームレンズを備えた撮像装置を実現することができる。
【０１１３】
図９では、本発明にかかるズームレンズを監視カメラに用いた例を示した。しかし、本発明にかかるズームレンズは、監視カメラのみならず、ビデオカメラ、デジタルスチルカメラ、一眼レフカメラ、ミラーレス一眼カメラ等に用いることも可能である。
【産業上の利用可能性】
【０１１４】
以上のように、本発明にかかるズームレンズは、ＣＣＤやＣＭＯＳ等の固体撮像素子が搭載された小型の撮像装置に有用であり、特に、高い光学性能を要求される監視カメラに適している。
【符号の説明】
【０１１５】
Ｇ1  第１レンズ群
Ｇ2  第２レンズ群
Ｇ3  第３レンズ群
Ｇ4  第４レンズ群
Ｇ5  第５レンズ群
Ｇ6  第６レンズ群
ＧR  後続レンズ群
Ｌ11，Ｌ31，Ｌ32，Ｌ53  両凹負レンズ
Ｌ21，Ｌ34，Ｌ42，Ｌ55，Ｌ57，Ｌ61  負メニスカスレンズ
Ｌ22，Ｌ23，Ｌ33，Ｌ41，Ｌ51，Ｌ52，Ｌ54，Ｌ56，Ｌ462  両凸正レンズ
Ｌ62  正メニスカスレンズ
ＳＴＰ  開口絞り
ＣＧ  カバーガラス
ＩＭＧ  像面
１０  ズームレンズ
１１  レンズ鏡筒部
２０  固体撮像素子
２１  カメラ本体
１００  撮像装置
【図１】
2019113700.tif 000005
【図２】
2019113700.tif 000006
【図３】
2019113700.tif 000007
【図４】
2019113700.tif 000008
【図５】
2019113700.tif 000009
【図６】
2019113700.tif 000010
【図７】
2019113700.tif 000011
【図８】
2019113700.tif 000012
【図９】
2019113700.tif 000013